(57)【要約】【課題】  従来の直管式４０Ｗおよび２０Ｗ型ＬＥＤ照明ランプは従来からある蛍光灯の照明器具との互換性を重視した。そのため蛍光灯を点灯するための電源に商用電源の１００Ｖまたは２００Ｖを印可し制御用の安定器やインバーターを用いていた。もしくは商用電源をＬＥＤ照明ランプに直接印可していた。商用電源を安定して印可するために照明器具は天井や壁など固定された場所に取り付けられていた。そのためにＬＥＤ照明ランプの特徴である低電圧低電流動作が活用されない課題がある。また印可される電圧も商用電源から供給するために移動式には適しておらず。また商用電源のない場所では動作が制約される課題がある。【解決の手段】  本発明は直管式４０Ｗおよび２０Ｗ型ＬＥＤ照明ランプを直流電圧１２Ｖで直接駆動できるＬＥＤ照明ランプを使用し照明器具への印可電圧の直流１２Ｖを直接印可することで課題を解決する。直流電圧１２Ｖは一次電池や二次電池またはＡＣアダプターを使用することで商用電源に囚われる課題を解決する。【選択図】図１
2012243747.tif 000002
【特許請求の範囲】
【請求項１】
直流電圧１２Ｖを印加する照明装置。
【請求項２】
ＬＥＤ発光素子を使用したランプを用い既存にある照明器具の外形寸法を転用し、駆動電源に一次電池ならびに二次電池またはＡＣアダプターの外部駆動電源で動作する装置。
【請求項３】
駆動電源に一次電池や二次電池を使用する場合には各々規格に合った電池の収納ケースを用いて駆動電源を入力する装置。
【請求項４】
一次電池または二次電池とＡＣアダプターを駆動電源として使用する場合に商用ＡＣ電源の供給が閉ざされた場合に自動的に電池駆動へ電源を切り替えることができる装置。
【発明の詳細な説明】
【技術分野】
【０００１】  本発明は、低消費電力で照明を得ることができるＬＥＤランプを活用する照明装置。【０００２】  ＬＥＤの特徴である低消費電力を有効に活用するために特に直流電圧１２Ｖにて動作をおこなう。直流１２Ｖは工業規格にある各電池を複数組み合わせることで用意に作ることができる。また鉛蓄電池など一般的に販売されている電池を活用できる。
【背景技術】
【０００３】  従来の照明装置では、ランプを安定に動作させるために安定器やインバーター安定器などを使用していた。駆動電源は商用交流電源を使用していた。【０００４】  直流１２Ｖにて直接駆動できるＬＥＤランプにおいて駆動電流に対してリニアに駆動電流を印加されているランプの場合は使用する電池の消耗における直流電圧の降下に従い照度が同時に降下するために電池が消耗した場合でもＬＥＤランプの点灯を発光限界まで照明を得られる。
【発明の概要】
【発明が解決しようとする課題】
【０００５】    従来のＬＥＤ照明器具は蛍光灯との互換性を重視しており駆動電圧は商用交流電圧の１００Ｖまた２００Ｖに対応している。そのために従来からの安定器やインバーターをそのまま使用するか専用のインバーターを使用していた。ＬＥＤランプの普及に従い規格の統一が進み駆動電圧を直流電圧の２４Ｖの動向もあるが一般的に入手が簡単な直流電源としては適していなく商用電源からの直流電圧への変換回路が不可欠であった。
【課題を解決するための手段】
【０００６】    上記課題を解決するために、請求項１記載の手法は、直接駆動電源を印可できるＬＥＤ照明用に直流１２Ｖ印可式照明器具とする。【０００７】    上記課題を解決するために、請求項２および請求項３記載の手法は、現在規格化されている直管型蛍光灯の外寸および口金Ｇ１３を使用したＬＥＤ照明ランプを駆動電源直流１２ＶとするＬＥＤ照明ランプを使用する器具であり、駆動電源は本器具の直流１２Ｖを入力する端子を有し駆動電源は本器具の直流１２Ｖを入力する端子を有し端子に適合する接合端子を一次電池や二次電池やＡＣアダプターのケースからのケーブルに有すことで本照明器具への駆動電源供給をおこなう。【０００８】    上記課題を解決するために、請求項４記載の手法は、本器具への直流１２Ｖの駆動電源の供給は一次電池または二次電池またはＡＣアダプターから駆動電源供給をおこなう。駆動電源を供給する端子が一次電池または二次電池とＡＣアダプターと個別に設置された場合には相互が干渉しない干渉防止回路を有する。
【発明の効果】
【０００９】    本発明は次のような効果を奏でる。
請求項１および請求項２および請求項３に記載されている発明は、ＬＥＤ照明を低電圧で駆動させることで低消費電力での駆動ができる。低電圧であるために電気的にも安全性が向上する。電源が直流１２Ｖで駆動することで一次電池または二次電池とＡＣアダプターの従来からある工業規格製品を活用できる。一次電池または二次電池が活用できることで商用電源が停止した場合や商用電源が供給されていない場所などでも照明器具としての活用が可能になる。二次電池の活用をおこなえば非常用バックアップ照明器具としての効果もある。
【手法の簡単な説明】
【００１０】  低電圧低消費電流で照明をおこなえるＬＥＤ照明ランプを効果的に駆動させるために、直管式４０Ｗ蛍光管および２０Ｗ蛍光管と同等の外形寸法の直流１２Ｖ駆動ＬＥＤ照明ランプを装着し駆動できる照明器具。
【００１１】  直管式４０Ｗおよび２０ＷＬＥＤ照明ランプは電球式ランプとくらべ照明範囲が円状に広がらず直管の長さ方向からの照明範囲が確保でき広範囲への照明が得られるため、周辺を照らすＬＥＤ照明として効果が高い。また低電圧低消費電流駆動をおこなう直流１２Ｖ駆動式を使用することで、商用電源に直接接続する必要もなく、１２Ｖを供給できる一次電池または二次電池とＡＣアダプターを用いれば設置場所を固定せず移動が容易になる。
【００１２】  本照明器具はＬＥＤ照明ランプを装着する機構には反射板と電極固定用Ｇ１３ソケットのみであり装着周辺の重量を軽量化でき重心の配置にも効果がある。またＬＥＤ照明は従来の直管式蛍光管とくらべても重量的にくらべても軽量化されているため重心配分により効果が高い。またＬＥＤ照明の構成物質にはガラスを使用しないため転倒や接触による破壊等によりガラスの飛散がなく安全性が高い。
【００１３】  本発明は直流１２Ｖ駆動式直管式ＬＥＤ照明ランプを点灯するための照明器具である。
【本発明の使用例を説明】
【００１４】    本発明は図１に記載を例に説明をおこなう。本照明器具を構成する照明用Ｇ１３型ソケット１は照明用反射板兼用照明ランプ取り付け本体２に２カ所据え付けられている。据え付けられている寸法は４０Ｗおよび２０Ｗ蛍光管の規定寸法と同等寸法になる。照明用反射板兼用照明ランプ取り付け本体２はスタンド用ポール上段３に自在ジョイントにて接合さている。スタンド用ポール上段３はスタンド用ポール下段５にインサートされる構造であり接合部分にはスタンド用ポール下段５からスタンド用ポール上段３を出し入れしスタンド用ポール上段３とスタンド用ポール下段５の全長を調整するためのポール高さ調整グリップ４が接合している。スタンド用ポール下段５はスタンド用台座６に固定されている。スタンド用台座６は照明用反射板兼用照明ランプ取り付け本体２およびスタンド用ポール上段３とスタンド用ポール下段５からの照明器具全体の重心と安定性のバランスを調整するためにおもりを内蔵している。
【００１５】    ＬＥＤ照明ランプ駆動用直流１２Ｖの導入経路はスタンド用台座６に電源供給ソケット７が取り付けられている。電源供給ソケット７からスタンド用台座６の内側を通しスタンド用ポール下段５とスタンド用ポール上段３の内側を経由して照明用反射板兼用照明ランプ取り付け本体２に導かれる。照明用反射板兼用照明ランプ取り付け本体２には照明ランプ用点灯スイッチ８が取り付けており照明用反射板兼用照明ランプ取り付け本体２に導かれたＬＥＤ照明ランプ駆動用直流１２Ｖは照明ランプ用点灯スイッチ８に接続されたあとに照明用Ｇ１３型ソケット１に接続されている。照明用Ｇ１３型ソケット１は使用するＬＥＤ照明ランプの供給電極に合わせて結線をおこなう。ＬＥＤ照明ランプの点灯および消灯は照明ランプ用点灯スイッチ８にておこなう。
【図面の簡単な説明】
【００１６】
【図１】    図１は本発明の装置を表す。
【符号の説明】
【００１７】１  照明用Ｇ１３型ソケット
２  照明用反射板兼用照明ランプ取り付け本体
３  スタンド用ポール上段
４  ポール高さ調整グリップ
５  スタンド用ポール下段
６  スタンド用台座
７  電源供給ソケット
８  照明ランプ用点灯スイッチ
【図１】
2012243747.tif 000003